(57)【要約】【課題】漏れ込み空気量を的確に考慮して排ガス酸素濃度の目標値を適切に設定する燃焼制御方法及び装置を提供する。【解決手段】燃焼溶融炉１の下流の除塵バグフィルタ６の出口の排ガス酸素濃度の計測値ＰＶｚ（３１）を、その目標値ＳＶｚに保持するように燃焼溶融炉の燃焼空気量Ｆａ＊（１４）を制御するにあたり、除塵バグフィルタの下流の排ガス流量と、燃焼溶融炉から排ガス流量の計測点に至る排ガス流路系に漏れ込む空気量とを計測し、排ガス流量計測値Ｑｏと、漏れ込み空気量計測値Ｑｐ、Ｑａ、Ｑｄ、Ｑｊと、排ガス酸素濃度の計測値（Ａ又はＰＶｚ）とを用いて、燃焼溶融炉出口の排ガス酸素濃度の基準値ＳＶｔを除塵バグフィルタの下流の排ガス酸素濃度の計測点における排ガス酸素濃度に換算し、その換算値を目標値ＳＶｚとして設定する。【選択図】    図１
2004286413.tif 000002
【特許請求の範囲】
【請求項１】
廃棄物を熱分解して発生する熱分解ガスと熱分解残渣の可燃物とを燃焼させて、前記熱分解残渣に含まれる不燃物の少なくとも一部を溶融する燃焼溶融炉の燃焼を制御するにあたり、前記燃焼溶融炉から排出される排ガスの飛灰を捕集する除塵バグフィルタの下流の排ガス酸素濃度を計測し、該計測値を目標値に保持するように前記燃焼溶融炉の燃焼空気量を制御する燃焼制御方法において、
前記除塵バグフィルタの下流の排ガス流量と、前記燃焼溶融炉から前記排ガス流量の計測点に至る排ガス流路系に漏れ込む空気量とを計測し、前記排ガス流量の計測値と、前記漏れ込み空気量の計測値と、前記排ガス酸素濃度の計測値とを用いて、前記燃焼溶融炉出口の排ガス酸素濃度の基準値を前記除塵バグフィルタの下流の排ガス酸素濃度の計測点における排ガス酸素濃度に換算し、該換算値を前記排ガス酸素濃度の前記目標値として設定することを特徴とする燃焼制御方法。
【請求項２】
前記漏れ込み空気量の計測値は、前記排ガス流路系を構成する機器ごとに予め計測して設定された計測値を含んでなることを特徴とする請求項１に記載の燃焼制御方法。
【請求項３】
前記漏れ込み空気は、前記燃焼溶融炉から排出される排ガスにより空気を加熱する空気加熱器にパージされる被加熱空気と、前記排ガス流量の計測点の下流の排ガスを前記空気加熱器に循環される循環排ガス中の空気と、前記空気加熱器から排出される排ガスの熱を回収する廃熱ボイラに漏れ込む周囲空気と、該廃熱ボイラから排出される排ガスを冷却する減温塔の噴霧水に含まれる空気と、前記除塵バグフィルタの逆洗空気の少なくとも１つを含むことを特徴とする請求項１又は２に記載の燃焼制御方法。
【請求項４】
前記排ガスのＮＯｘ濃度を計測し、計測されたＮＯｘ濃度が予め定められた設定範囲から外れたとき、前記排ガス酸素濃度の目標値を増減補正することを特徴とする請求項１乃至３のいずれかに記載の燃焼制御方法。
【請求項５】
熱分解反応器から発生する熱分解ガスと熱分解残渣の可燃物を燃焼して前記熱分解残渣の不燃物の少なくとも一部を溶融する燃焼溶融炉と、該燃焼溶融炉から排出される排ガスにより空気を加熱する空気加熱器と、該空気加熱器から排出される排ガスの熱を回収する廃熱回収装置と、前記排ガス中に含まれる飛灰を捕集する除塵バグフィルタと、該除塵バグフィルタから排出される排ガスを吸引して大気に排出する誘引送風機と、該誘引送風機から排出される排ガスの一部を前記空気加熱器の入口側流路に戻す排ガス循環路と、前記除塵バグフィルタ出口の排ガス酸素濃度を計測する排ガス酸素濃度計と、該排ガス酸素濃度計により計測された排ガス酸素濃度の計測値を目標値に保持するように前記燃焼溶融炉の燃焼空気量を制御する燃焼制御手段とを備えた廃棄物処理装置において、
前記除塵バグフィルタ下流の排ガス流量を計測する排ガス流量計と、前記排ガス循環路の循環排ガス流量を計測する循環排ガス流量計と、前記空気加熱器にパージされる空気流量を計測するパージ空気流量計とを設け、
前記燃焼制御手段は、前記排ガス流量計の計測値と、前記循環排ガス流量計の計測値と、前記パージ空気流量計の計測値と、前記廃熱ボイラと前記減温塔と前記除塵バグフィルタの漏れ込み空気量の設定データと、前記排ガス酸素濃度計の計測値とを用いて、前記燃焼溶融炉出口の排ガス酸素濃度の基準値を前記除塵バグフィルタの下流の排ガス酸素濃度の計測点における排ガス酸素濃度に換算し、該換算値を前記排ガス酸素濃度の前記目標値として設定することを特徴とする廃棄物処理装置。
【請求項６】
前記除塵バグフィルタから排出される排ガスに脱塩剤を添加して処理する脱塩バグフィルタを備え、前記排ガス流量計は前記脱塩バグフィルタから排出される排ガス流量を計測し、前記排ガス酸素濃度計は前記誘引送風機の下流の排ガス酸素濃度を計測することを特徴とする請求項５に記載の廃棄物処理装置。
【請求項７】
前記除塵バグフィルタから排出される排ガスのＮＯｘ濃度を計測するＮＯｘ濃度計を設け、該ＮＯｘ濃度計により計測されたＮＯｘ濃度の計測値が予め定められた設定範囲から外れたとき、前記排ガス酸素濃度の目標値を増減補正することを特徴とする請求項５又は６に記載の廃棄物処理装置。
【発明の詳細な説明】
【０００１】
【発明の属する技術分野】
本発明は、廃棄物などの焼却対象物を燃焼処理するのに好適な燃焼制御方法及び廃棄物処理装置に係り、特に燃焼空気量の制御に関する。
【０００２】
【従来の技術】
廃棄物の処理法として、廃棄物を熱分解して生成される熱分解ガスを燃焼炉で高温燃焼するとともに、この燃焼炉に熱分解残渣に含まれる固体の可燃物や不燃物の一部を投入して燃焼及び溶融させる燃焼溶融方法が知られている。このような燃焼溶融を行なわせる燃焼溶融炉においては、高温で旋回流を形成しながら供給空気量を２段階で制御する２段燃焼方式が採用されている（特許文献１）。これは、燃焼溶融炉の１段目の燃焼領域に焼却対象物の化学量論比未満の空気量を投入し、化学量論比の残余に一定の過剰率を加えた空気量を燃焼溶融炉の２段目の燃焼領域に供給する方式である。この場合、２段目の燃焼空気量が不足すると排ガス中のＣＯが増加し、過剰すぎるとＮＯｘが発生することから、２段目の空気量を排ガスの酸素濃度が所定値になるように調整して、それらの発生を抑制するようにしている。
【０００３】
ところで、燃焼溶融炉から排出される排ガスは、高温でかつ粉塵などのダストが高い濃度で含まれるため、排ガスの酸素濃度を燃焼溶融炉の出口で直接計測することができない。そこで、従来は、燃焼溶融炉から排出される排ガスの熱を回収する廃熱ボイラ等の下流側の低温域で、かつ排ガス中の粉塵を捕集する集塵装置の下流側において排ガスをサンプリングし、減温されかつ除塵された排ガスを酸素濃度計に導いて排ガス酸素濃度を計測するようにしている。
【０００４】
ところで、燃焼溶融炉から排ガスサンプリング点までの間に設けられた各種の機器（廃熱ボイラ、集塵装置、排ガス浄化装置等）から、系統の運転負圧等によって排ガスに外気等が盛れ込むことから、集塵装置の下流側で計測される排ガス酸素濃度は、燃焼溶融炉出口の排ガス酸素濃度よりも高めになる。
【０００５】
したがって、排ガス酸素濃度の計測値に対応する目標値又は目標範囲（以下、単に目標値と総称する。）を、漏れ込み空気量を考慮して高めに設定しなければならないが、漏れ込み空気量を適正に推定することは必ずしも容易ではない。
【０００６】
そこで、従来は、集塵装置下流側の排ガス酸素濃度を漏れ込み空気量を推定して設定した目標値に保持制御するとともに、排ガスのＮＯｘ濃度を計測し、計測されたＮＯｘ濃度が予め定められた設定範囲から外れたとき、排ガス酸素濃度の目標値を増減補正することが提案されている（特許文献２）。すなわち、排ガスのＮＯｘ濃度と燃焼溶融炉出口の酸素濃度には正の相関があり、排ガスのＮＯｘ濃度は漏れ込み空気量によって変動するものではないから、ＮＯｘ濃度によって燃焼室出口の酸素濃度をおよそ知ることができる。さらに、空気が漏れ込む可能性のある機器の負圧を検出し、その検出値に基づいて漏れ込み空気量を演算し、下流側で計測された酸素濃度を補正することが提案されている（特許文献２）。
【０００７】
【特許文献１】
特開平３−６３４０７号公報
【特許文献２】
特開２００２−２２１３０８号公報
【０００８】
【発明が解決しようとする課題】
しかしながら、漏れ込み空気は単に構成機器の運転負圧に起因して排ガスに漏れ込むだけでなく、機器の種類及び運転態様に起因して空気が排ガスに混入されることから、特許文献２の方法では必ずしも適切な燃焼制御を行なうことができない。例えば、バグフィルタ式集塵装置の逆洗空気が排ガスに混入する漏れ込み空気量のような機器の種類及び運転態様に起因して漏れ込む空気は、単に負圧に応じて定まるものではない。
【０００９】
本発明は、漏れ込み空気量を的確に考慮した排ガス酸素濃度の目標値を適切に設定する燃焼制御方法及び装置を提供することを課題とする。
【００１０】
【課題を解決するための手段】
本発明は、上記課題を解決するため、廃棄物を熱分解して発生する熱分解ガスと熱分解残渣の可燃物とを燃焼させて、前記熱分解残渣に含まれる不燃物の少なくとも一部を溶融する燃焼溶融炉の燃焼を制御するにあたり、前記燃焼溶融炉から排出される排ガスの飛灰を捕集する除塵バグフィルタの下流の排ガス酸素濃度を計測し、該計測値を目標値に保持するように前記燃焼溶融炉の燃焼空気量を制御する燃焼制御方法において、前記除塵バグフィルタの下流の排ガス流量と、前記燃焼溶融炉から前記排ガス流量の計測点に至る排ガス流路系に漏れ込む空気量とを計測し、前記排ガス流量の計測値と、前記漏れ込み空気量の計測値と、前記排ガス酸素濃度の計測値とを用いて、前記燃焼溶融炉出口の排ガス酸素濃度の基準値を前記除塵バグフィルタの下流の排ガス酸素濃度の計測点における排ガス酸素濃度に換算し、該換算値を前記排ガス酸素濃度の前記目標値として設定することを特徴とする。
【００１１】
本発明の燃焼制御方法によれば、排ガス流量の計測値と、漏れ込み空気量の計測値と、除塵バグフィルタ下流の排ガス酸素濃度の計測値とを用いて、燃焼溶融炉出口の排ガス酸素濃度の基準値を制御点における排ガス酸素濃度に換算しているから、その換算値を排ガス酸素濃度の目標値とすることにより、漏れ込み空気量を適切に考慮した燃焼空気の制御を行なうことができる。
【００１２】
ここで、漏れ込み空気は、燃焼溶融炉から排出される排ガスにより空気を加熱する空気加熱器にパージされる被加熱空気と、排ガス流量の計測点の下流の排ガスを空気加熱器に循環される循環排ガス中の空気と、空気加熱器から排出される排ガスの熱を回収する廃熱ボイラの灰排出機のダンパなどから漏れ込む周囲空気と、廃熱ボイラから排出される排ガスを冷却する減温塔において排ガス中に噴霧される噴霧水に含まれる空気と、除塵バグフィルタの逆洗空気等の少なくとも１つを含めることができる。
【００１３】
この場合において、漏れ込み空気量を実時間で計測しにくい機器の場合（例えば、廃熱ボイラ、減温塔、除塵バグフィルタ、等）は、漏れ込み空気量の計測値に代えて、排ガス流路系を構成する機器ごとに予め計測して設定された計測値を用いることができる。
【００１４】
また、除塵バグフィルタ下流の排ガスのＮＯｘ濃度を計測し、計測されたＮＯｘ濃度が予め定められた設定範囲から外れたとき、排ガス酸素濃度の目標値を増減補正することが好ましい。これによれば、燃焼空気量を一層適切に制御することができる。
【００１５】
また、本発明の排ガス処理装置は、熱分解反応器から発生する熱分解ガスと熱分解残渣の可燃物を燃焼して前記熱分解残渣の不燃物の少なくとも一部を溶融する燃焼溶融炉と、該燃焼溶融炉から排出される排ガスにより空気を加熱する空気加熱器と、該空気加熱器から排出される排ガスの熱を回収する廃熱回収装置と、前記排ガス中に含まれる飛灰を捕集する除塵バグフィルタと、該除塵バグフィルタから排出される排ガスを吸引して大気に排出する誘引送風機と、該誘引送風機から排出される排ガスの一部を前記空気加熱器の入口側流路に戻す排ガス循環路と、前記除塵バグフィルタ出口の排ガス酸素濃度を計測する排ガス酸素濃度計と、該排ガス酸素濃度計により計測された排ガス酸素濃度の計測値を目標値に保持するように前記燃焼溶融炉の燃焼空気量を制御する燃焼制御手段とを備え、前記除塵バグフィルタ下流の排ガス流量を計測する排ガス流量計と、前記排ガス循環路の循環排ガス流量を計測する循環排ガス流量計と、前記空気加熱器にパージされる空気流量を計測するパージ空気流量計とを設け、前記燃焼制御手段は、前記排ガス流量計の計測値と、前記循環排ガス流量計の計測値と、前記パージ空気流量計の計測値と、前記廃熱ボイラと前記減温塔と前記除塵バグフィルタの漏れ込み空気量の設定データと、前記排ガス酸素濃度計の計測値とを用いて、前記燃焼溶融炉出口の排ガス酸素濃度の基準値を前記除塵バグフィルタの下流の排ガス酸素濃度の計測点における排ガス酸素濃度に換算し、該換算値を前記排ガス酸素濃度の前記目標値として設定することを特徴とする。
【００１６】
この場合において、前記除塵バグフィルタから排出される排ガスに脱塩剤を添加して処理する脱塩バグフィルタを備え、前記排ガス流量計は前記脱塩バグフィルタから排出される排ガス流量を計測し、前記排ガス酸素濃度計は前記誘引送風機の下流の排ガス酸素濃度を計測するようにすることができる。
【００１７】
【発明の実施の形態】
（第１実施形態）
本発明の一実施の形態について、図１及び図２を用いて説明する。図１は、本発明の燃焼制御方法が適用された燃焼溶融方式の廃棄物処理装置の一実施形態の全体構成図を示している。燃焼溶融炉１には、図示していない熱分解反応器により熱分解された廃棄物の熱分解ガスと熱分解残渣の可燃物、及び熱分解残渣の不燃物の少なくとも一部が投入されるようになっている。なお、熱分解反応器から排出される熱分解残渣は、冷却、分別、粉砕の各処理を受けた後、燃焼溶融炉１に供給される。燃焼溶融炉１から排出される排ガスは空気加熱器２に導かれ、ここにおいて空気を加熱するようになっている。空気加熱器２で加熱された高温空気は、図示していない熱分解反応器の熱源として用いられる。空気加熱器２から排出される排ガスは廃熱ボイラ４に導かれ、排ガスの熱が水蒸気として回収される。廃熱ボイラ４を通った排ガスは減温塔５に導かれ、ここにおいて水が噴霧され減温される。減温された排ガスは除塵バグフィルタ６に導かれ、排ガス中に含まれる飛灰が捕集される。除塵バグフィルタ６から排出される排ガスに空気輸送される脱塩剤が添加された後、脱塩バグフィルタ７に導かれて排ガス中の塩素分や硫黄分が除去される。脱塩バグフィルタ７の２次側排ガスは誘引送風機８により吸引され、図示していない煙突を介して大気に排出される。誘引送風機８から排出される排ガスの一部は、排ガス循環送風機９を有する排ガス循環流路１０介して、空気加熱器２の入口側流路に供給されるようになっている。
【００１８】
燃焼溶融炉１は、頂部に設けられたバーナ１１と、バーナ１１の下方の炉壁に設けられた複数の第１の空気ノズル１２と、この空気ノズル１２の下方の炉壁に炉高方向に２段に分けて設けられた複数の第２の空気ノズル１３とを備えて構成されている。第２の空気ノズル１３からは、燃焼空気量制御弁１４を介して、２次空気及び３次空気が供給される。なお、バーナ１１から第２の空気ノズル１１３に至る間の空間が第１の燃焼域又は燃焼室と称され、第２の空気ノズル１３の下流側が第２の燃焼域又は燃焼室と称される。また、炉底に設けられた溶融スラグ排出口１５は、図示していない水槽の水面下に位置させて開口され、溶融されたスラグが水中に排出されるようになっている。
【００１９】
空気加熱器２は、排ガスが通流される煙道内に複数の伝熱管を配置して形成され、伝熱管に図示していない送風機から空気２１を通流させて空気を加熱し、加熱された加熱空気２２を前述した熱分解反応器に供給するようになっている。また、空気加熱器２は、伝熱管から一定量の空気を煙道内に放出（パージ）して伝熱管の高温腐食の軽減等が図られている。また、溶融燃焼炉１は、溶融スラグを生成するために高温（例えば、１２００〜１３００℃）高温燃焼するようにしているから、排ガス温度も高温となっている。その高温の排ガスをそのまま空気加熱器２に導くと空気加熱器２を損傷させるおそれがある。そこで、排ガス循環路１０を介して低温の循環排ガスを空気加熱器２の入口に流入させることにより排ガスを減温するようにしている。
【００２０】
廃熱ボイラ４において底部に沈降した飛灰はホッパに集積され、図示していない灰排出機によって排出されるようになっている。また、除塵バグフィルタ６の濾布面に捕集された飛灰は、パルス状の逆洗空気を噴射することによって底部ホッパ内に落下させ、図示していない灰排出機によって排出されるようになっている。同様に、脱塩バグフィルタ７の濾布面に付着した脱塩剤及び反応生成物は、パルス状の逆洗空気を噴射することによって底部ホッパ内に落下させ、図示していない灰排出機によって排出されるようになっている。
【００２１】
次に、本実施形態の特徴に係る燃焼空気量の制御について詳細に説明する。燃焼空気量の制御系は、第１の燃焼室用の１次空気制御系と、第２の燃焼室用の２、３次空気制御系とに分けられる。１次空気制御系は、バーナ１１と第１の空気ノズル１０に供給する空気量を制御する系統であり、１次燃焼空気量は焼却対象物の量に応じて予め定められた化学量論比未満の空気量を投入するとともに、第１の燃焼域の温度を所定の温度範囲に保持するように１次燃焼空気量を補正制御しているが、図１では記載を省略している。第２の燃焼室用の２、３次空気制御系は、第２の空気ノズル１３に空気を供給する系統に設けられた燃焼空気量制御弁１４と、この燃焼空気量制御弁１４を制御する燃焼制御装置３０を備えて構成されている。
【００２２】
燃焼制御装置３０は、除塵バグフィルタ６の出口排ガス酸素濃度の目標値ＳＶｚを設定する演算器３０ａと、設定された目標値ＳＶｚと除塵バグフィルタ６の出口側流路に設けられた排ガス酸素濃度計３１により計測された計測値ＰＶｚとに基づいてＰＩＤ等の制御演算を実行する演算器３０ｂを有して形成されている。演算器３０ａには、脱塩バグフィルタ８の出口側流路に設けられた排ガス流量計３２により計測された排ガス流量Ｑｏと、誘引送風機８の出口側流路に設けられた排ガス酸素濃度計３３により計測された排ガス酸素濃度の計測値Ａとが入力されている。また、空気加熱器２の入口空気流量計３４と出口空気流量計３５によりそれぞれ計測された入口空気流量と出口空気流量との差である漏れ込み空気量（パージ空気量）Ｑｐと、空気加熱器２の入口側流路に設けられた循環排ガス流量計３６，３７により計測された循環排ガス流量Ｑｊ１、Ｑｊ２が入力されている。また、燃焼制御装置３０にはデータベース３０ｃが備えられ、データベース３０には、排ガス酸素濃度の基準値ＳＶｔ、廃熱ボイラ４、減温塔５、除塵バグフィルタ６に漏れ込む空気量を予め計測して得られた漏れ込み空気量の合計設定値Ｑａと、脱塩バグフィルタ７に漏れ込む空気量を予め計測して得られた漏れ込み空気量の設定値Ｑｄ等のデータが格納されている。
【００２３】
ここで、図１の廃棄物処理装置の主要部の排ガス流量と漏れ込み空気量とのマテリアルバランスを図２に示すとともに、各記号の意味及び単位を次に説明する。
【００２４】
Ｑ１［ｍ３Ｎ／ｈ（乾き）］：燃焼溶融炉の出口の排ガス流量（概念値）
Ｑｏ［ｍ３Ｎ／ｈ（湿り）］：脱塩バグフィルタ出口の排ガス流量計３２により計測された排ガス流量
Ｑｊ［ｍ３Ｎ／ｈ（湿り）］：循環排ガス流量計３６，３７により計測された循環排ガス流量Ｑｊ１、Ｑｊ２の合計量
Ｑｐ［ｍ３Ｎ／ｈ（乾き）］：空気加熱器の漏れ込み空気量（パージ空気量＝入口空気量と出口空気量の計測値の差）
Ｑａ［ｍ３Ｎ／ｈ（乾き）］：廃熱ボイラ４、減温塔５、除塵バグフィルタ６から排ガス流路系に漏れ込む空気量（廃熱ボイラや除塵バグフィルタの灰排出機ダンパからの漏れ込み空気量、減温塔スプレー噴霧空気量、活性炭噴霧空気量、除塵バグフィルタ逆洗空気量、等々の予め計測して得られた設定値）
Ｑｄ［ｍ３Ｎ／ｈ（乾き）］：脱塩バグフィルタの漏れ込み空気量（脱塩剤噴霧空気量、逆洗空気量の予め計測して得られた設定値）
ＳＶｔ［％、乾き］：燃焼溶融炉出口の排ガス酸素濃度の基準値
ＳＶｚ［％、湿り］：除塵バグフィルタ出口の排ガス酸素濃度の目標値
ＰＶｚ［％、湿り］：除塵バグフィルタ出口の排ガス酸素濃度計３１の計測値
Ａ［％、乾き］：脱塩バグフィルタ出口の排ガス酸素濃度計３３の計測値
ｗ［無次元］：排ガスの水分割合（予め計測した設定値）
これらのことから、除塵バグフィルタ出口の排ガス酸素濃度の目標値ＳＶｚは、次式の数１により表すことができる。
【００２５】
【数１】
2004286413.tif 000003
ここで、（１−ｗ）は乾き排ガス量に換算する係数である。また、「２１」は空気に含まれる酸素の含有率（％）である。数１において、Ｑ１は計測しないとして他の排ガス量等で表すと、数１は次式の数２になる。
【００２６】
【数２】
2004286413.tif 000004
演算器３０ａは、数２に従って、燃焼溶融炉出口の排ガス酸素濃度の基準値ＳＶｔを、除塵バグフィルタ出口の排ガス酸素濃度に換算し、その換算値を目標値ＳＶｚとして設定する。演算器３０ｂは、排ガス酸素濃度計３１の計測値ＰＶｚと目標値ＳＶｚとの差を求め、その差を低減するように、例えばＰＩＤ演算により２次及び３次の燃焼空気量の指令値Ｆａ＊を求め、燃焼空気量制御弁１４に出力する。これにより、燃焼空気量制御弁１４から空気ノズル１３を介して燃焼溶融炉１の２次燃焼領域に指令値Ｆａ＊の応じた量の燃焼空気が供給される。
【００２７】
したがって、本実施形態によれば、空気加熱器２、廃熱ボイラ４、減温塔５、除塵バグフィルタ６、脱塩バグフィルタ７、排ガス循環路１０から排ガス中に漏れ込む空気量を適正に考慮して、燃焼溶融炉１の出口の排ガス酸素濃度の基準値ＳＶｔに対応した除塵バグフィルタ出口の排ガス酸素濃度の目標値ＳＶｚを設定できる。その結果、燃焼溶融炉の燃焼空気量を適切に制御でき、燃焼溶融炉の排ガス酸素濃度を基準値ＳＶｔに保持することができるから、排ガスのＣＯ濃度及びＮＯｘ濃度を適切に管理することができる。
（第２実施形態）
上記の第１実施形態では、排ガス流量計３２を脱塩バグフィルタ７の出口流路に設けたが、除塵バグフィルタ６の出口流路に設けて、除塵バグフィルタ出口の排ガス流量Ｑ２［ｍ３Ｎ／ｈ（湿り）］を計測してもよい。この場合の排ガス酸素濃度の目標値ＳＶｚは、次式の数３により表すことができる。
【００２８】
【数３】
2004286413.tif 000005
（第３実施形態）
図１の実施形態では、循環排ガスの酸素濃度計３３を設けたが、これを省略し、排ガス酸素濃度計３１の計測値ＰＶｚを用いて、次式の数４により循環排ガス酸素濃度の計測値Ａを計算してもよい。
【００２９】
【数４】
2004286413.tif 000006
（第４実施形態）
本実施形態は、図３に示すように、除塵バグフィルタ６の出口における排ガスのＮＯｘ濃度を計測するＮＯｘ濃度計３４を設け、これにより計測されたＮＯｘ濃度ＮＯｘを燃焼制御装置３０の演算器３０ｄに入力している。演算器３０は、入力されるＮＯｘ濃度が予め定められた設定範囲の上限値Ｈ及び下限値Ｌから外れたとき、排ガス酸素濃度の目標値ＳＶｚを一定量ずつ増減補正する補正信号ΔＳを加算器３０ｅに出力する。加算器３０ｅは、演算器３０ａから出力される排ガス酸素濃度の目標値ＳＶｚに補正信号ΔＳを加算又は減算して目標値ＳＶ’ｚを演算器３０ｂに出力する。
【００３０】
すなわち、排ガスのＮＯｘ濃度と燃焼溶融炉１の出口の酸素濃度には正の相関があり、排ガスのＮＯｘ濃度は漏れ込み空気量によって変動するものではない。そこで、ＮＯｘ濃度によって燃焼室出口の酸素濃度をおよそ知ることができるから、ＮＯｘ濃度の変動によって排ガス酸素濃度の目標値ＳＶｚを補正することにより、燃焼空気量を一層適切に制御することができる。なお、増減補正に係る補正信号ΔＳの一定量は、増加方向と減少方向で異なる値に設定してもよい。
【００３１】
【発明の効果】
以上述べたように、本発明によれば、漏れ込み空気量を的確に考慮した排ガス酸素濃度の目標値を適切に設定することができる。
【図面の簡単な説明】
【図１】本発明の燃焼制御方法が適用された廃棄物処理装置の一実施形態の全体構成図である。
【図２】図１の廃棄物処理装置の主要部の排ガス流量と漏れ込み空気量とのマテリアルバランスを示す図である。
【図３】本発明の燃焼制御方法が適用された廃棄物処理装置の他の実施形態の全体構成図である。
【符号の説明】
１  燃焼溶融炉
２  空気加熱器
３  ？？？？
４  廃熱ボイラ
５  減温塔
６  除塵バグフィルタ
７  脱塩バグフィルタ
８  誘引送風機
１０  排ガス循環路
１４  燃焼空気量制御弁
３０  燃焼制御装置
３０ａ、ｂ  演算器
３０ｃ  データベース
３１  排ガス酸素濃度計
３２  排ガス流量計
３３  排ガス酸素濃度計
３４  入口空気流量計
３５  出口空気流量計
３６，３７  循環排ガス流量計
【図１】
2004286413.tif 000007
【図２】
2004286413.tif 000008
【図３】
2004286413.tif 000009